(57)【要約】【課題】不使用時に一対の刃部が閉じた状態で維持することができ、そのための操作性の良い鋏を提供する。【解決手段】鋏１を、第一柄部１２から第二柄部２２側に延設されたベース部３１と、第二柄部から第一柄部側に突設された係止部３２と、ベース部に回動可能に軸支されており、第一指環１３側に延びている操作アーム４１と、係止部に係止される被係止部４４が先端に形成されており、操作アームの回動に伴う回動可能にベース部に軸支されていると共に、被係止部が係止部に係止された状態で一対の刃部１１，１２が閉じる長さに形成されている被係止アーム４２と、操作アームが第一指孔１３ｈ上に延び、且つ、被係止部が係止部に係止される状態に、操作アーム及び被係止アームの回動方向を付勢するバネ部材とを具備する構成とする。【選択図】図１
2014221114.tif 000002
【特許請求の範囲】
【請求項１】
刃部、該刃部に連設された柄部、及び、該柄部の端部に設けられた指環をそれぞれ備える第一鋏片及び第二鋏片が、支軸周りに回動可能に組み付けられた鋏であって、
前記第一鋏片の柄部または指環から前記第二鋏片側に延設されたベース部と、
前記第二鋏片の柄部または指環から前記第一鋏片側に突設された係止部と、
前記ベース部に回動可能に軸支されており、前記第一鋏片の指環側に延びている操作アームと、
前記係止部に係止される被係止部が先端に形成されており、前記操作アームの回動に伴う回動可能に前記ベース部に軸支されていると共に、前記被係止部が前記係止部に係止された状態で一対の前記刃部が閉じる長さに形成されている被係止アームと、
前記操作アームが前記第一鋏片の指環内の空間上に延び、且つ、前記被係止部が前記係止部に係止される状態に、前記操作アーム及び前記被係止アームの回動方向を付勢するバネ部材と
を具備することを特徴とする鋏。
【請求項２】
前記操作アームは、ともにＶ字形をなす第二操作アームと第一回動軸周りに一体的に回動し、
前記被係止アームは、ともにＶ字形をなす第二被係止アームと第二回動軸周りに一体的に回動し、
前記第二操作アームは前記第二被係止アームと噛み合っており、
前記バネ部材は、前記操作アーム及び前記第二操作アームの前記第一回動軸周りの回動と、前記被係止アーム及び前記第二被係止アームの前記第二回動軸周りの回動の何れか一方を付勢する
ことを特徴とする請求項１に記載の鋏。
【請求項３】
前記操作アームの回動軸は前記被係止アームの回動軸と同一であり、前記操作アームと前記被係止アームは一体的に回動する
ことを特徴とする請求項１に記載の鋏。
【請求項４】
前記第一鋏片の指環と重畳する形状及び大きさに形成されており、前記ベース部に回動可能に軸支された可動指環を更に具備し、
前記操作アームは、前記可動指環における第二鋏片側の部分で構成されている
ことを特徴とする請求項２または請求項３に記載の鋏。
【発明の詳細な説明】
【技術分野】
【０００１】
本発明は、指を挿通する指環を有する鋏に関するものである。
【背景技術】
【０００２】
それぞれ刃部と、刃部に連設された柄部を有する一対の鋏片が、支軸周りに回動可能に組み付けられた鋏において、不使用時に一対の刃部が意図せず開いた状態となることを防止するために、一対の刃部が閉じた状態に維持する機構を備えた鋏が種々提案され、実施されている。例えば、一対の柄部のうちの一方の先端に、環状の被係止片を取付け、他方の柄部の先端側に引き掛けて係止させる機構や、一方の柄部の先端に、端部に突起が形成された被係止片を回動可能に取付け、他方の柄部の先端に設けた凹状の係止部に係止させる機構を備えた鋏が存在する。このような機構は、剪定鋏で多用されている。
【０００３】
そのほか、一対の刃部が閉じた状態に維持する機構を支軸部に備えた鋏も提案されている（例えば、特許文献１参照）。この鋏は、支軸に、その頭部から突出させた被係止部を設ける一方、スライドにより支軸に対して進退するロック部材を設け、このロック部材に被係止部を挿脱可能なスリットを形成したものである。かかる構成により、鋏の不使用時にロック部材を支軸方向に移動させ、被係止部をスリットに挿入させることにより、支軸の回動が規制され、刃部が閉じた状態が維持される。
【０００４】
しかしながら、指環に指を挿通して使用する鋏の場合は、一対の刃部が閉じた状態に維持する機構が、柄部の先端や支軸部に設けられていると、手指の位置から遠いために操作性が悪いという問題があった。
【発明の概要】
【発明が解決しようとする課題】
【０００５】
そこで、指環を有する一対の鋏片が支軸周りに回動可能に組み付けられた鋏であって、不使用時に一対の刃部が閉じた状態で維持することができ、そのための操作性の良い鋏の提供を、課題とするものである。
【課題を解決するための手段】
【０００６】
上記の課題を解決するため、本発明にかかる鋏は、「刃部、該刃部に連設された柄部、及び、該柄部の端部に設けられた指環をそれぞれ備える第一鋏片及び第二鋏片が、支軸周りに回動可能に組み付けられた鋏であって、前記第一鋏片の柄部または指環から前記第二鋏片側に延設されたベース部と、前記第二鋏片の柄部または指環から前記第一鋏片側に突設された係止部と、前記ベース部に回動可能に軸支されており、前記第一鋏片の指環側に延びている操作アームと、前記係止部に係止される被係止部が先端に形成されており、前記操作アームの回動に伴う回動可能に前記ベース部に軸支されていると共に、前記被係止部が前記係止部に係止された状態で一対の前記刃部が閉じる長さに形成されている被係止アームと、前記操作アームが前記第一鋏片の指環内の空間上に延び、且つ、前記被係止部が前記係止部に係止される状態に、前記操作アーム及び前記被係止アームの回動方向を付勢するバネ部材とを具備する」ものである。
【０００７】
被係止アームの「被係止部」は、被係止アームの先端を屈曲させた鉤型とし、これと反対方向に突出した「係止部」に係止させる構成とすることができる。或いは、鉤型の「被係止部」を、これと反対方向に屈曲した鉤型の「係止部」に係止させる構成とすることができる。また或いは、「被係止部」を突起とし、凹状の「係止部」に嵌り込んで係止される構成とすることができる。また或いは、「係止部」を棒状部分を有する構成とし、「被係止部」を係止部の棒状部分に巻き掛けて係止させる湾曲形状とすることができる。
【０００８】
「操作アームが第一鋏片の指環内の空間上に延びる状態」は、操作アームが指環内の空間（以下、「指孔」と称することがある）を途中まで横切るように延びる状態であっても、操作アームが指孔を完全に横切るように延びる状態であっても良い。
【０００９】
上記構成の鋏は、被係止アームの先端に形成された被係止部が第二鋏片の係止部に係止されるように、常時、バネ部材によって付勢されており、この状態では一対の刃部が閉じている。また、この状態で操作アームは、第一鋏片の指孔上に延びている。そのため、鋏を使用するために指孔に指を挿通すると、第一鋏片の指孔上に延びている操作アームが、挿通された指によって指環の外側に向かって押される。これにより、操作アームがバネ部材の付勢に抗して回動し、操作アームの回動に伴い被係止アームが回動し、これと同時に被係止部が係止部に係止された状態が解除される。その結果、一対の鋏片が支軸周りに回動自在となり、鋏を使用することができる。一方、鋏の使用を終えて指孔から指を抜き出せば、バネ部材の付勢に抗して操作アームを指環の外側に向かって押していた力がなくなるため、バネ部材の付勢によって操作アームが回動し、操作アームが第一鋏片の指孔上に延びる状態に復帰すると共に、バネ部材の付勢によって被係止アームが回動し、被係止部が係止部に係止された状態に復帰し、その状態が維持される。
【００１０】
つまり、本発明の鋏は、使用を終えて指孔から指を抜き出すだけで、一対の刃部が閉じたロック状態とすることができ、そのロック状態を、使用のために指孔に指を挿通するだけで解除することができるため、極めて操作性が良い。
【００１１】
本発明にかかる鋏は、上記構成に加えて、「前記操作アームは、ともにＶ字形をなす第二操作アームと第一回動軸周りに一体的に回動し、前記被係止アームは、ともにＶ字形をなす第二被係止アームと第二回動軸周りに一体的に回動し、前記第二操作アームは前記第二被係止アームと噛み合っており、前記バネ部材は、前記操作アーム及び前記第二操作アームの前記第一回動軸周りの回動と、前記被係止アーム及び前記第二被係止アームの前記第二回動軸周りの回動の何れか一方を付勢する」ものとすることができる。
【００１２】
本構成では、操作アームと被係止アームがそれぞれ異なる回動軸周りに回動する。すなわち、操作アームは第二操作アームと一体的に第一回動軸周りに回動し、被係止アームは第二被係止アームと一体的に第二回動軸周りに回動する。そして、第二操作アームが第二被係止アームと噛み合っている。従って、第一回動軸周りの回動を、操作アームが第一鋏片の指孔上に延びる方向にバネ部材で付勢すれば、第二操作アーム及び第二被係止アームを介して、その回動が第二回動軸周りの回動に伝達され、被係止部が係止部に係止される方向に被係止アームを付勢することができる。或いは、第二回動軸周りの回動を、被係止部が係止部に係止される方向にバネ部材で付勢すれば、第二被係止アーム及び第二操作アームを介して、その回動が第一回動軸周りの回動に伝達され、操作アームが第一鋏片の指孔上に延びる方向に、操作アームを付勢することができる。
【００１３】
かかる構成により、鋏を使用するために指孔に指を挿通すると、第一鋏片の指孔上に延びている操作アームが、挿通された指によって指環の外側に向かって押され、まず操作アームがバネ部材の付勢に抗して第一回動軸周りに回動する。そして、この回動が第二操作アーム及び第二被係止アームを介して伝達され、被係止アームがバネ部材の付勢に抗して第二回動軸周りに反対方向に回動し、被係止部が係止部に係止された状態が解除される。
【００１４】
一方、鋏の使用を終え、指孔から指を抜き出せば、バネ部材の付勢に抗して操作アームを指環の外側に向かって押していた力がなくなる。そのため、バネ部材が第一軸周りの回動を付勢していた場合は、まずバネ部材の付勢によって操作アームが第一軸周りに回動して、操作アームが第一鋏片の指孔上に延びる状態に復帰する。そして、この回動が第二操作アーム及び第二被係止アームを介して伝達され、被係止アームが第二回動軸周りに反対方向に回動して、被係止部が係止部に係止された状態に復帰し、その状態が維持される。また、バネ部材が第二軸周りの回動を付勢していた場合は、まずバネ部材の付勢によって被係止アームが第二回動軸周りに回動し、被係止部が係止部に係止された状態に復帰する。そして、この回動が第二操作アーム及び第二被係止アームを介して伝達され、操作アームが第一回動軸周りに反対方向に回動して、操作アームが第一鋏片の指孔上に延びる状態に復帰し、この状態が維持される。
【００１５】
本発明にかかる鋏は、上記構成に替えて、「前記操作アームの回動軸は前記被係止アームの回動軸と同一であり、前記操作アームと前記被係止アームは一体的に回動する」ものとすることができる。
【００１６】
本構成では、操作アームと被係止アームが、単一の回動軸周りに一体的に回動する。従って、単一の回動軸周りの回動を、操作アームが第一鋏片の指孔上に延び、且つ、被係止部が係止部に係止される方向に付勢する。これにより、鋏の使用のために指孔に指を挿通すれば、挿通された指によって操作アームが指環の外側に向かって押されることにより、操作アーム及び被係止アームがバネ部材の付勢に抗して一体的に回動し、被係止部が係止部に係止された状態が解除される。一方、鋏の使用を終えて指孔から指を抜き出せば、バネ部材の付勢に抗して操作アームを指環の外側に向かって押していた力がなくなるため、操作アーム及び被係止アームがバネ部材の付勢によって一体的に回動し、操作アームが第一鋏片の指孔上に延び、且つ、被係止部が係止部に係止された状態に復帰し、その状態が維持される。
【００１７】
本発明にかかる鋏は、上記構成に加え、「前記第一鋏片の指環と重畳する形状及び大きさに形成されており、前記ベース部に回動可能に軸支された可動指環を更に具備し、前記操作アームは、前記可動指環における第二鋏片側の部分で構成されている」ものとすることができる。
【００１８】
本構成では、操作アームが可動指環の一部である。そして、可動指環はベース部に回動可能に軸支されており、その形状及び大きさは第一鋏片の指環と重畳する形状及び大きさに形成されている。従って、可動指環の回動軸周りの回動を、操作アームが第一鋏片の指孔上に延び、且つ、被係止部が係止部に係止される方向に付勢すれば、上記と同様に動作する。すなわち、鋏の使用のために、可動指環及び第一鋏片の指孔に指を挿通すれば、挿通された指によって、可動指環における第二鋏片側の部分で構成されている操作アームが、指環の外側に向かって押される。これにより、操作アーム及び被係止アームがバネ部材の付勢に抗して回動し、被係止部が係止部に係止された状態が解除される。一方、鋏の使用を終えて可動指環及び第一鋏片の指孔から指を抜き出せば、バネ部材の付勢に抗して操作アームを指環の外側に向かって押していた力がなくなるため、操作アーム及び被係止アームがバネ部材の付勢によって回動し、操作アームが第一鋏片の指孔上に延び、且つ、被係止部が前記係止部に係止された状態に復帰し、その状態が維持される。
【００１９】
本構成の鋏は、使用時に可動指環が第一鋏片の指環と重畳した状態にあるため、外観が通常の鋏とほぼ等しく、違和感なく使用することができる。また、操作アームが可動指環の一部であるため、操作アームのみが第一鋏片の指環から突出している場合に比べ、外観がすっきりしている利点がある。
【発明の効果】
【００２０】
以上のように、本発明の効果として、指環を有する一対の鋏片が支軸周りに回動可能に組み付けられた鋏であって、不使用時に一対の刃部が閉じた状態で維持することができ、そのための操作性の良い鋏を、提供することができる。
【図面の簡単な説明】
【００２１】
【図１】本発明の第一実施形態の鋏の正面図である。
【図２】図１の鋏の要部について、操作アーム及び被係止アームの回動を説明する図である。
【図３】本発明の第二実施形態の鋏の要部について、操作アーム及び被係止アームの回動を説明する図である。
【図４】本発明の第三実施形態の鋏の要部について、操作アーム及び被係止アームの回動を説明する図である。
【図５】本発明の第四実施形態の鋏の要部について、操作アーム及び被係止アームの回動が付勢された状態の（ａ）正面図、及び、（ｂ）Ｘ−Ｘ線端面図である。
【図６】図５の鋏の要部について、操作アーム及び被係止アームが付勢に抗して回動した状態の（ａ）正面図、及び、（ｂ）Ｘ−Ｘ線端面図である。
【図７】本発明の第五実施形態の鋏の要部について、操作アーム及び被係止アームの回動を説明する図である。
【発明を実施するための形態】
【００２２】
以下、本発明の第一実施形態の鋏１について、図１及び図２を用いて説明する。なお、本実施形態では、美容師や理容師が使用する理美容用の鋏に本発明を適用した場合を例示する。
【００２３】
本実施形態の鋏１は、第一刃部１１、第一刃部１１に連設された第一柄部１２、及び、第一柄部１２の端部に設けられた第一指環１３を備える第一鋏片１０と、第二刃部２１、第二刃部２１に連設された第二柄部２２、及び、第二柄部２２の端部に設けられた第二指環２３を備える第二鋏片２０とが、支軸３０周りに回動可能に組み付けられた鋏であって、第一柄部１２から第二柄部２２側に延設されたベース部３１と、第二柄部２２から第一柄部１２側に突設された係止部３２と、ベース部３１に回動可能に軸支されており、第一指環１３側に延びている操作アーム４１と、係止部３２に係止される被係止部４４が先端に形成されており、操作アーム３１の回動に伴う回動可能にベース部３１に軸支されていると共に、被係止部４４が係止部３２に係止された状態で第一刃部１１及び第二刃部２１が閉じる長さに形成されている被係止アーム４２と、操作アーム４１が第一指環１３内の空間上に延び、且つ、被係止部４４が係止部３２に係止される状態に、操作アーム４１及び被係止アーム４２の回動方向を付勢するバネ部材（図示しない）とを具備している。
【００２４】
また、本実施形態の鋏１では、操作アーム４１の回動軸５０は被係止アーム４２の回動軸でもあり、操作アーム４１と被係止アーム４２は回動軸５０周りに一体的に回動する。
【００２５】
より詳細に説明すると、ベース部３１は、第一柄部１２の第一指環１３の近傍において、第二柄部２２側の側面から、第二柄部２２に向かって平板状に延設されている。操作アーム４１及び被係止アーム４２は、細長い平板をＶ字状に屈曲させて一体形成されており、その基端部（屈曲した部分）に平板状の基端ベース４３が設けられている。そして、基端ベース４３をベース部３１に平行に重ね合わせた状態で、回動軸５０が基端ベース４３及びベース部３１に留め付けられている。この回動軸５０の軸方向は、第一柄部１１が支軸３０周りに回動する仮想平面に対して垂直である。
【００２６】
一方、係止部３２は、第二柄部２２の第二指環２３の近傍において、第一柄部１２側の側面から、第二指環２３に向かって突出するように形成されている。そして、被係止アーム４２は、基端部から第二柄部２２に向かって延びており、その先端には、係止部３２が突出している方向とは反対、すなわち第二刃部２１の方向に向かって屈曲した鉤型の被係止部４４が形成されている。
【００２７】
また、回動軸５０には、基端ベース４３とベース部３１との間で、バネ部材としてのねじりコイルバネ（図示しない）が取り付けられており、図２（ａ）に示すように、被係止アーム４２の被係止部４４が係止部３２に係止される方向に、操作アーム４１及び被係止アーム４２の回動軸５０周りの回動を付勢している（図示、矢印Ａ方向）。このように付勢された状態で、操作アーム４１は、第一指環１３内の空間である第一指孔１３ｈ上に、第一指孔１３ｈを途中まで横切るように延びている。また、操作アーム４１は、先端に近付くにつれて、第一指環１３の外側かつ第二指環２３とは反対の方向に向かって反っている。
【００２８】
鋏１を使用するために、第一指孔１３ｈ及び第二指環２３内の空間である第二指孔２３ｈに指を挿通すると、図２（ｂ）に示すように、第一指孔１３ｈに挿通した指Ｔによって、第一指環１３の外側かつ第二指環２３とは反対の方向に向かって、操作アーム４１が押される。このとき、操作アーム４１の先端側の反りに沿って指Ｔが案内されるため、抵抗少なく、バネ部材の付勢に抗して操作アーム４１を押しながら指を挿通することができる。これにより、バネ部材の付勢に抗して操作アーム４１及び被係止アーム４２が回動軸５０周りに回動し（図示、矢印Ｂ方向）、被係止アーム４２の先端の被係止部４４が係止部３２に係止された状態が解除される。その結果、図２（ｃ）に示すように、第一鋏片１０及び第二鋏片２０が支軸３０周りに回動自在となり、鋏１を使用することができる。
【００２９】
鋏１の使用を終えて指を第一指孔１３ｈ及び第二指孔２３ｈから引き抜くと、操作アーム４１を第一指環１３の外側に向かって押していた指Ｔによる外力がなくなるため、バネ部材の付勢によって操作アーム４１及び被係止アーム４２が回動軸５０周りに回動し（図示、矢印Ａ方向）、被係止部４４が係止部３２に係止されて図２（ａ）に示す状態に復帰し、その状態が維持される。
【００３０】
以上のように、本実施形態の鋏１は、使用を終えて第一指孔１３ｈから指Ｔを抜き出すだけで、第一刃部１１及び第二刃部２１が閉じた状態とし、その状態を維持することができる。そのため、例えば、使用を終えた鋏１を作業台の上に置けば、自ずと一対の刃部１１，２１が閉じた状態となり、その状態が維持されるため、意図せず開いていた刃部によって手などを傷つけるおそれがない。また、美容師や理容師は多種類の鋏を使い分けるために、複数本の鋏を収容するシザーケースを使用することがあるが、本実施形態の鋏１は第一刃部１１及び第二刃部２１が自ずと閉じた状態となってシザーケースに収容されるため、ケースの中で他の鋏と絡まり合うおそれがない。また、うっかり鋏１を落とした場合も、第一刃部１１及び第二刃部２１が自ずと閉じた状態となるため、刃先が損傷を受けるおそれや、足などを刃先で傷つけるおそれが低減されている。
【００３１】
そして、鋏１を使用する際には第一指孔１３ｈに指Ｔを挿通するだけで、被係止部４４が係止部３２に係止された状態が解除され、第一鋏片１０及び第二鋏片２０が支軸３０周りに回動自在となる。このように、本実施形態の鋏１は、一対の刃部１１，２１が閉じたロック状態とするためにも、このロック状態を解除するためにも、そのための操作を何ら必要としない利点を有している。
【００３２】
次に、本発明の第二実施形態の鋏２について、図３を用いて説明する。第二実施形態の鋏２が第一実施形態の鋏１と相違する点は、係止部３２ｂ及び被係止部４４ｂの向きである。具体的には、第一実施形態の鋏１の係止部３２は、第二柄部２２の第一柄部１２側の側面から、第二指環２３に向かって突出するように形成されていたのに対し、第二実施形態の鋏２の係止部３２ｂは、第二柄部２２の第一柄部１２側の側面から、第二刃部２１に向かって突出するように形成されている。そして、第一実施形態の鋏１の被係止部４４は、第二刃部２１の方向に向かって屈曲した鉤型であったのに対し、第二実施形態の鋏２の被係止部４４ｂは、第二指環２３の方向に向かって屈曲した鉤型に形成されている。なお、第一実施形態の鋏１と同様の構成については、同一の符号を付し詳細な説明は省略する。
【００３３】
回動軸５０において、基端ベース４３とベース部３１との間で、バネ部材としてのねじりコイルバネ（図示しない）が取り付けられており、操作アーム４１が第一指孔１３ｈ上に延び、且つ、被係止部４４ｂが係止部３２ｂに係止される方向に、操作アーム４１及び被係止アーム４２の回動軸５０周りの回動が付勢されている点は、第一実施形態の鋏１と同様である。ただし、バネ部材による付勢によって、操作アーム４１及び被係止アーム４２が回動軸５０周りに回動する方向は、第一実施形態の鋏１とは逆方向である（図３（ａ）において、矢印Ｃ方向）。
【００３４】
また、第一実施形態の鋏１では、操作アーム４１の先端が反っている方向は、第一指環１３の外側かつ第二指環２３とは反対の方向であったのに対し、第二実施形態の鋏２では、操作アーム４１の先端が反っている方向は、第一指環１３の外側かつ第二指環２３に向かう方向である。
【００３５】
上記構成により、鋏２を使用するために第一指孔１３ｈ及び第二指孔２３ｈに指を挿通すると、図３（ｂ）に示すように、第一指孔１３ｈに挿通した指Ｔによって、第一指環１３の外側かつ第二指環２３の方向に向かって、操作アーム４１が押される。このとき、操作アーム４１の先端側の反りに沿って指Ｔが案内されるため、抵抗少なく、バネ部材の付勢に抗して操作アーム４１を押しながら指を挿通することができる。これにより、バネ部材の付勢に抗して操作アーム４１及び被係止アーム４２が回動軸５０周りに回動し（図示、矢印Ｄ方向）、被係止アーム４２の先端の被係止部４４ｂが係止部３２ｂに係止された状態が解除される。その結果、第一鋏片１０及び第二鋏片２０が支軸３０周りに回動自在となり、鋏１を使用することができる。
【００３６】
鋏２の使用を終えて指を第一指孔１３ｈ及び第二指孔２３ｈから引き抜くと、操作アーム４１を第一指環１３の外側に向かって押していた力がなくなるため、バネ部材の付勢によって操作アーム４１及び被係止アーム４２が回動軸５０周りに回動し（図示、矢印Ｃ方向）、被係止部４４ｂが係止部３２ｂに係止されて図３（ａ）に示す状態に復帰し、その状態が維持される。
【００３７】
第一実施形態の鋏１では、係止部３２に被係止部４４が係止された状態が解除される際に、被係止アーム４２が回動する方向（図２（ｂ）における矢印Ｂ方向）で、第二指環２３が第一指環１３に近付くように湾曲している。そのため、回動する被係止アーム４２が第二指環２３と干渉しないように、係止部３２の位置・被係止アーム４２の長さや、係止部３２の形状・大きさを設定する必要がある。これに対し、第二実施形態の鋏２では、係止部３２ｂに被係止部４４ｂが係止された状態が解除される際に、被係止アーム４２が回動する方向（図３（ｂ）における矢印Ｄ方向）で、第二柄部２２が第一柄部１２から遠ざかるように湾曲している。これにより、回動する被係止アーム４２が第二柄部２２と干渉しにくく、係止部３２ｂの位置・被係止アーム４２の長さや、係止部３２ｂの形状・大きさの設計の自由度が高いという利点がある。
【００３８】
次に、第三実施形態の鋏３について、図４を用いて説明する。第三実施形態の鋏３が第二実施形態の鋏２と相違する点は、操作アーム４１ｂが可動指環６０の一部で構成されている点である。より具体的には、可動指環６０は第一指環１３と重畳する形状及び大きさ、ここでは第一指環１３と同一の形状及び大きさに形成されている。そして、可動指環６０は、基端側で回動軸５０によってベース部３１に軸支されている。この可動指環６０において、第二指環２３側の約半分の部分が、操作アーム４１ｂを構成している。なお、可動指環６０において、操作アーム４１ｂの部分と他の部分との境界は明瞭ではない。
【００３９】
可動指環６０の基端からは、第二柄部２２に向かって被係止アーム４２が延びている。第三実施形態の鋏３において、被係止アーム４２の先端に形成された被係止部４２ｂの屈曲方向、及び、係止部３２ｂが第二柄部２２から突出している方向は、第二実施形態の鋏２と同様である。また、回動軸５０において、可動指環６０の基端とベース部３１との間で、バネ部材としてのねじりコイルバネ（図示しない）が取り付けられており、操作アーム４１ｂ及び被係止アーム４２の回動軸５０周りの回動を付勢している点、及び、バネ部材が付勢している回動方向は、第二実施形態の鋏２と同様である（図示、矢印Ｅ方向）。そして、バネ部材の付勢によって被係止部４４ｂが係止部３２ｂに係止されている状態で、可動指環６０は第一指環１３と重畳しておらず、操作アーム４１ｂは第一指孔１３を横切るように延びている（図４（ａ）参照）。なお、その他の構成について、鋏１及び鋏２と同様の構成については、同一の符号を付して詳細な説明は省略する。
【００４０】
上記構成の鋏３では、使用のために第一指孔１３ｈ及び第二指孔２３ｈに指を挿通する際、第一指孔１３ｈ側の指Ｔは、まず可動指環６０の指孔６０ｈに通した上で第一指孔１３ｈに挿通する。これにより、図４（ｂ）に示すように、可動指環６０は第一指環１３と重畳するように回動軸５０周りに回動し、操作アーム４１ｂは指Ｔによって押されて、第一指環１３の外側かつ第二指環２３の方向に向かって移動する。その結果、バネ部材の付勢に抗して操作アーム４１ｂ（可動指環６０）及び被係止アーム４２が回動軸５０周りに回動し（図示、矢印Ｆ方向）、被係止アーム４２の先端の被係止部４４ｂが係止部３２ｂに係止された状態が解除され、第一鋏片１０及び第二鋏片２０が支軸３０周りに回動自在となる。
【００４１】
鋏３の使用を終えて指Ｔを可動指環の指孔６０ｈ及び第一指孔１３ｈから引き抜くと、操作アーム４１ｂを第一指環１３の外側に向かって押していた力がなくなるため、バネ部材の付勢によって操作アーム４１ｂ（可動指環６０）及び被係止アーム４２が回動軸５０周りに回動し（図示、矢印Ｅ方向）、被係止部４４ｂが係止部３２ｂに係止されて図４（ａ）に示す状態に復帰し、その状態が維持される。
【００４２】
第三実施形態の鋏３では、使用時に可動指環６０が第一指環１３と重畳した状態にあるため、外観が通常の鋏とほぼ等しく、違和感なく使用することができる。また、操作アーム４１ｂが可動指環６０の一部であるため、操作アームのみが第一指環１３から突出している場合に比べ、外観がすっきりしている利点がある。
【００４３】
次に、第四実施形態の鋏４について、図５及び図６を用いて説明する。上記の鋏１〜３の何れにおいても、回動軸５０の軸方向は、第一柄部１１が支軸３０周りに回動する仮想平面に対して垂直であった。これに対し、第四実施形態の鋏４では、操作アーム４１ｃ及び被係止アーム４２ｃの回動中心である回動軸５０ｃは、第一柄部１１が支軸３０周りに回動する仮想平面に対して平行である。
【００４４】
より具体的には、鋏４のベース部は、第一指環１３の側面から第二指環２３に向かって延設された一対の平行な平板状部３５ａと、この一対の平板状部３５ａを連結する連結部３５ｂとからなる。回動軸５０ｃは、一対の平板状部３５ａを挿通している。
【００４５】
また、鋏４は、第二柄部２２が第一柄部１２より長く、第二指環２３が第一指環１３と段違いとなった鋏（オフセットタイプ）であり、第二指環２３の近傍において第二柄部２２の側面から第一指環１３側に、第二柄部２２の側面と環状をなす係止部３２ｃが突設されている。そして、環状の係止部３２ｃにおいて一部分は、ベース部の連結部３５ｂと平行な棒状となっている。
【００４６】
回動軸５０ｃには、第一指環１３側に延びた平板状の操作アーム４１ｃの一端と、第二柄部２２側に延びた平板状の被係止アーム４２ｃの一端がそれぞれ固定されており、操作アーム４１ｃ及び被係止アーム４２ｃは回動軸５０ｃ周りに一体的に回動する。この回動軸５０ｃには、操作アーム４１ｃ及び被係止アーム４２ｃが固定された部分と平板状部３５ａとの間で、バネ部材５５としてのねじりコイルバネが取り付けられている。このバネ部材５５は、図５（ａ），（ｂ）に示すように、操作アーム４１ｃが第一指孔１３ｈの一部を被覆するように第一指孔１３ｈ上に延びる方向に、操作アーム４１ｃの回動方向を付勢している（図示、矢印Ｇ方向）。そして、被係止アーム４２ｃの先端は、回動軸５０ｃ周りの回動がバネ部材５５によって付勢された状態で、係止部３２ｃと第二柄部２２との間の空間を通り、係止部３２ｃにおいて連結部３５ｂと平行である棒状部分に巻き掛かり係止されるように湾曲しており、この湾曲部分が被係止部４４ｃを構成している。
【００４７】
上記構成により、鋏４を使用するために第一指孔１３ｈ及び第二指孔２３ｈに指を挿通すると、図６（ａ），（ｂ）に示すように、第一指孔１３ｈに挿通した指Ｔによって、第一指環１３の外側かつ第二柄部２２の方向に向かって、操作アーム４１ｃが押される。これにより、バネ部材５５の付勢に抗して操作アーム４１ｃ及び被係止アーム４２ｃが回動軸５０ｃ周りに回動し（図示、矢印Ｈ方向）、被係止アーム４２ｃの先端の被係止部４４ｃが係止部３２ｂに係止された状態が解除される。その結果、第一鋏片１０及び第二鋏片２０が支軸３０周りに回動自在となり、鋏４を使用することができる。
【００４８】
鋏４の使用を終えて指を第一指孔１３ｈ及び第二指孔２３ｈから引き抜くと、操作アーム４１ｃを第一指環１３の外側に向かって押していた力がなくなるため、バネ部材５５の付勢によって操作アーム４１ｃ及び被係止アーム４２ｃが回動軸５０ｃ周りに回動し（図示、矢印Ｇ方向）、被係止部４４ｃが係止部３２ｃに巻き掛かって係止されて図５の状態に復帰し、その状態が維持される。
【００４９】
第四実施形態の鋏４は、回動軸５０ｃの軸方向が、第一柄部１１が支軸３０周りに回動する仮想平面に対して平行であるため、回動軸５０ｃが第一指環１３の厚さ方向に突出しない利点を有している。
【００５０】
次に、本発明の第五実施形態の鋏５について、図７を用いて説明する。鋏１〜４は何れも、操作アームの回動軸と被係止アームの回動軸とが単一の軸であり、操作アームと被係止アームが一体的に回動するものであった。これに対し、第五実施形態の鋏５では、操作アーム４６は第一回動軸５１周りに回動し、被係止アーム４８は第一回動軸５１とは異なる第二回動軸５２周りに回動する。なお、上記の実施形態と同様の構成については、同一の符号を付し詳細な説明は省略する。
【００５１】
より具体的には、操作アーム４６は第二操作アーム４７とともにＶ字形をなしており、その基端部が第一回動軸５１によってベース部３１に軸支されている。これにより、操作アーム４６と第二操作アーム４７は、第一回動軸５１周りに一体的に回動する。一方、被係止アーム４８は第二被係止アームとともにＶ字形をなしており、その基端部が第二回動軸５２によってベース部３１に軸支されている。これにより、被係止アーム４８と第二被係止アーム４９は、第二回動軸５２周りに一体的に回動する。ここで、第二被係止アーム４９の先端は二股に分かれており、その間に第二操作アーム４７が挿入されることにより、第二操作アーム４６と第二被係止アーム４９とは噛み合っている。
【００５２】
第一回動軸５１には、バネ部材としてのねじりコイルバネ（図示しない）が取り付けられており、操作アーム４６と第二操作アーム４７の回動方向を付勢している。図７（ａ）に示すように、操作アーム４６は、バネ部材によって第一回動軸５１周りの回動方向を付勢された状態で（図示、矢印Ｊ方向）、第一指孔１３ｈを途中まで横切るように、第一指孔１３ｈ上に延びている。また、操作アーム４６は細長い平板状であり、先端に近付くにつれて、第一指環１３の外側かつ第二指環２３とは反対の方向に向かって反っている。
【００５３】
また、バネ部材によって第一回動軸５１周りの回動を付勢された第二操作アーム４７は、第二被係止アーム４９と噛み合うことにより、第二被係止アーム４９及び被係止アーム４８を、自らの回動方向とは反対方向に、第二回動軸５２周りに回動させる（図示、矢印Ｋ方向）。被係止アーム４８の先端には鉤型の被係止部４４ｄが形成されており、第二操作アーム４７及び第二被係止アーム４９を介して、被係止アーム４８が第二回動軸５２周りの回動方向を付勢された状態で、被係止部４４ｄは第二指環２３の側面から突出した係止部３２ｂに係止されている。なお、係止部３２ｂは、第二実施形態の鋏２及び第三実施形態の鋏３における係止部３２ｂと同様の構成である。
【００５４】
上記構成により、鋏５を使用するために第一指孔１３ｈ及び第二指孔２３ｈに指を挿通すると、図７（ｂ）に示すように、第一指孔１３ｈに挿通した指Ｔによって、第一指環１３の外側かつ第二指環２３とは反対の方向に向かって、操作アーム４６が押される。このとき、操作アーム４６の先端側の反りに沿って指Ｔが案内されるため、第一指孔１３ｈに指Ｔを挿通し易い。これにより、バネ部材の付勢に抗して操作アーム４６及び第二操作アーム４７が第一回動軸５１周りに回動する（図示、矢印Ｌ方向）。これに伴い、第二操作アーム４７と噛み合った第二被係止アーム４９を介して、被係止アーム４８が第二回動軸５２周りに反対方向に回動し（図示、矢印Ｍ方向）、被係止アーム４８の先端の被係止部４４ｄが係止部３２ｂに係止された状態が解除される。その結果、第一鋏片１０及び第二鋏片２０が支軸３０周りに回動自在となり、鋏５を使用することができる。
【００５５】
鋏５の使用を終えて指を第一指孔１３ｈ及び第二指孔２３ｈから引き抜くと、操作アーム４６を第一指環１３の外側に向かって押していた力がなくなるため、バネ部材の付勢によって操作アーム４６及び第二操作アーム４７が第一回動軸５１周りに回動する（図示、矢印Ｊ方向）。そして、第二操作アーム４７と噛み合った第二被係止アーム４９を介して、第一回動軸５１周りの回動が伝達され、被係止アーム４８が第二回動軸５２周りに反対方向に回動する（図示、矢印Ｋ方向）。これにより、被係止アーム４８の先端の被係止部４４ｄが係止部３２ｂに係止されて図７（ａ）に示す状態に復帰し、その状態が維持される。
【００５６】
第五実施形態の鋏５では、第二操作アーム４７及び第二被係止アーム４９を介して、操作アーム４６の回動が被係止アーム４８に伝達される。従って、被係止アーム４８が第一柄部１２から第二柄部２２側に延びる長さを短くすることが可能であり、すっきりとした外観の鋏５となる利点がある。
【００５７】
以上、本発明について好適な実施形態を挙げて説明したが、本発明は上記の実施形態に限定されるものではなく、以下に示すように、本発明の趣旨を逸脱しない範囲において、種々の改良及び設計の変更が可能である。
【００５８】
例えば、上記の実施形態では、何れも第一刃部が動刃である場合を図示により例示したが、これに限定されず、第一刃部が静刃であっても良い。
【００５９】
また、第三実施形態の鋏３では、操作アーム４１ｂの回動軸と被係止アーム４２の回動軸が、単一の回動軸５０である場合を例示した。これに限定されず、可動指環の一部である操作アームが第二操作アームと第一回動軸周りに一体的に回動し、第二操作アームと噛み合う第二被係止アームを介して、被係止アームが第二被係止アームと一体的に第二回動軸周りに回動し、これによって被係止部が係止部に係止され、その係止が解除される構成とすることができる。
【００６０】
また、第五実施形態の鋏５では、第一回動軸５１周りの回動及び第二回動軸５２周りの回動のうち、第一回動軸５１周りの回動がバネ部材によって付勢されている場合を例示した。これに限定されず、第二回動軸５２周りの回動が、バネ部材によって付勢される構成とすることができる。
【００６１】
更に、上記の実施形態では、本発明を理美容用の鋏に適用した場合を例示したが、これに限定されず、文房具の鋏とすることができる。上記のように本発明の鋏は、そのための操作を何ら必要とすることなく、一対の刃部が閉じた状態でロックすることができ、意図せず開いていた刃部によって手などを傷つけることを防止できるため、幼児が使用する鋏としても適している。
【符号の説明】
【００６２】
１，２，３，４，５  鋏
１０  第一鋏片（鋏片）
１１  第一刃部（刃部）
１２  第一柄部（柄部）
１３  第一指環（指環）
１３ｈ  第一指孔（第一鋏片の指環内の空間）
２０  第二鋏片（鋏片）
２１  第二刃部（刃部）
２２  第二柄部（柄部）
２３  第二指環（指環）
３０  支軸
３１  ベース部
３２，３２ｂ，３２ｃ  係止部
４１，４１ｂ，４１ｃ，４６  操作アーム
４２，４２ｃ，４８  被係止アーム
４４，４４ｂ，４４ｃ，４４ｄ  被係止部
４７  第二操作アーム
４９  第二被係止アーム
５０  回動軸
５１  第一回動軸（回動軸）
５２  第二回動軸（回動軸）
６０  可動指環
Ｔ  指
【先行技術文献】
【特許文献】
【００６３】
【特許文献１】実開平０１−１３８３７０号公報
【図１】
2014221114.tif 000003
【図２】
2014221114.tif 000004
【図３】
2014221114.tif 000005
【図４】
2014221114.tif 000006
【図５】
2014221114.tif 000007
【図６】
2014221114.tif 000008
【図７】
2014221114.tif 000009